(57)【要約】【課題】本発明の目的は、方形紙とインデックス紙を積載する場合であっても、インデックス紙のインデックス部が正しく認識でき、ユーザの使い勝手が良好なシート積載装置を提供することである。【解決手段】スタックトレイ３０１と、前記トレイ３０１上にシートを搬送する搬送ローラＲと、前記トレイ３０１上のシートの搬送方向先端の位置を規制する、シートの搬送方向に移動可能なストッパ３０３と、前記ストッパ３０３のシート搬送方向への位置移動を制御するストッパ制御部７１８とを有し、前記トレイ３０１上に方形紙Ｓｈと前記方形紙Ｓｈより搬送方向の長さが長いインデックス紙Ｓｉを積載する場合、前記方形紙Ｓｈの先端位置を規制する際に、前記ストッパ３０３を前記インデックス紙Ｓｉの先端位置を規制する位置と同じ位置に移動させることを特徴とする。【選択図】    図１５
2008105826.tif 000002
【特許請求の範囲】
【請求項１】
シートを積載するためのシート積載手段と、
前記シート積載手段上にシートを搬送するシート搬送手段と、
前記シート積載手段上のシートの搬送方向先端の位置を規制する、シートの搬送方向に移動可能なシート先端規制手段と、
前記シート先端規制手段のシート搬送方向への位置移動を制御する制御手段と、を有し、
前記シート積載手段上に第１のシートと前記第１のシートより搬送方向の長さが長い第２のシートを積載する場合、前記第１のシートの先端位置を規制する際に、前記シート先端規制手段を前記第２のシートの先端位置を規制する位置と同じ位置に移動させることを特徴とするシート積載装置。
【請求項２】
前記第２のシートは、前記第１のシートよりインデックス部の分だけ搬送方向の長さが長いシートであり、前記インデックス部がシートの搬送方向後端にある状態でシート積載手段に積載されることを特徴とする請求項１に記載のシート積載装置。
【請求項３】
シートに画像を形成する画像形成装置と、前記画像形成装置から排出されたシートを受け取って積載するシート積載装置と、を有する画像形成システムであって、前記シート積載装置として、請求項１又は２に記載のシート積載装置を有することを特徴とする画像形成システム。
【発明の詳細な説明】
【技術分野】
【０００１】
本発明は、搬送方向の長さが異なるシートが積載可能なシート積載装置及びこれを備えた画像形成システムに関する。
【背景技術】
【０００２】
従来、画像形成装置から排出されたシートを順次装置内に取り込み、スタックトレイ上に積載するシート積載装置としては、特開平７−２６７４６９号公報（以下、特許文献１という）が知られている。この特許文献１に開示されたシート積載装置は、排出されるシートの搬送方向前後の位置を規制する規制部材を用いて、スタックトレイ上でのシートの積載性を向上させるようにしている。
【０００３】
さらに、画像形成装置の多機能化が進み、その１つとして、画像形成された方形紙間に該方形紙より搬送方向の長さが長いインデックス紙を挿入する技術が知られている。このようなシート積載装置において、方形紙間にインデックス紙を挿入するモードを実行する場合、方形紙をスタックトレイ上に積載した後に前記規制部材を搬送方向下流側に移動させることで、方形紙よりもシート長が長いインデックス紙を積載することができる。
【０００４】
【特許文献１】特開平７−２６７４６９号公報
【発明の開示】
【発明が解決しようとする課題】
【０００５】
しかしながら、上記シート積載装置において、搬送方向後端側にインデックス部を備えるインデックス紙を積載する場合、方形紙の搬送方向先端位置とインデックス紙の搬送方向先端位置が同じ位置とならない。このため、インデックス紙のインデックス部が正しく認識できず、使い勝手が悪いという問題があった。
【０００６】
本発明の目的は、方形紙とインデックス紙を積載する場合であっても、インデックス紙のインデックス部が正しく認識でき、ユーザの使い勝手が良好なシート積載装置を提供することである。
【課題を解決するための手段】
【０００７】
上記目的を達成するための本発明の代表的な構成は、シートを積載するためのシート積載手段と、前記シート積載手段上にシートを搬送するシート搬送手段と、前記シート積載手段上のシートの搬送方向先端の位置を規制する、シートの搬送方向に移動可能なシート先端規制手段と、前記シート先端規制手段のシート搬送方向への位置移動を制御する制御手段と、を有し、前記シート積載手段上に第１のシートと前記第１のシートより搬送方向の長さが長い第２のシートを積載する場合、前記第１のシートの先端位置を規制する際に、前記シート先端規制手段を前記第２のシートの先端位置を規制する位置と同じ位置に移動させることを特徴とする。
【発明の効果】
【０００８】
本発明によれば、シート積載手段上に第１のシートと前記第１のシートより搬送方向の長さが長い第２のシートを積載する場合、前記第１のシートと前記第２のシートの先端位置が同じ位置に規制される。このため、第２のシートが第１のシートよりインデックス部の分だけ搬送方向に長く、該インデックス部が搬送方向後端にある状態で積載される場合でも、第２のシートのインデックス部が正しく認識でき、ユーザの使い勝手の低下を防止することができる。
【発明を実施するための最良の形態】
【０００９】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものである。従って、特に特定的な記載がない限りは、本発明の範囲をそれらのみに限定する趣旨のものではない。
【００１０】
（画像形成システム）
図１は画像形成システムの動作を説明するためのシステム構成を表す図である。図１において、１０１はシートに画像を形成する画像形成装置、１０２は前記画像形成装置から排出されたシートを受け取って積載するシート積載装置としてのスタッカであり、装置間通信ネットワーク１２０により接続されている。画像形成装置１０１は、ジョブの管理を行うコントローラ部３０００と、画像データをシート上に可視像として形成し、シートの搬送を行うプリンタ制御部３１００を備えている。また、スタッカ１０２は、シートの搬送及びシート処理を行うためのスタッカ制御部３２００を備えている。画像形成装置１０１およびスタッカ１０２は、装置間通信ネットワーク１２０を介してシート処理に必要なシート情報や、タイミング情報をやりとりする。
【００１１】
（画像形成装置の制御部）
図２は画像形成装置１０１の内部構成を示す制御ブロック図である。図２において、５０１はコントローラ部３０００のＣＰＵであり、制御プログラムが書き込まれたＲＯＭ５０３、処理を行うためのデータを格納するＲＡＭ５０２が、アドレスバス、データバスにより接続されている。
【００１２】
またＣＰＵ５０１には、外部と通信を行うための外部Ｉ／Ｆ部５０４、受信したデータの加工、蓄積、画像処理を行うＰＤＬ制御部５０５、プリンタ制御部３１００との通信を行う内部Ｉ／Ｆ部５０６が接続されている。
【００１３】
さらにＣＰＵ５０１には操作部５０７が接続されており、ＣＰＵ５０１は操作部５０７の表示手段、キー入力手段を制御する。使用者はキー入力手段を通して、表示の切り替えをＣＰＵ５０１に指示し、ＣＰＵ５０１は操作部５０７の表示手段に対して、装置の動作状態や、キー入力によって設定された動作モードの表示を行う。
【００１４】
プリンタ制御部３１００のＣＰＵ５１１は画像形成動作の基本制御を行う。ＣＰＵ５１１には制御プログラムが書き込まれたＲＯＭ５１３及び画像形成動作の処理を行うためのデータを格納するＲＡＭ５１２がアドレスバス及びデータバスを介して接続されている。ＲＯＭ５１３には、後述する制御手順等が記憶されているものとする。デバイス制御部５１４は、プリンタ部の各構成部品を制御するための入出力ポート等を含む電気回路である。内部Ｉ／Ｆ部５１５はコントローラ部３０００と画像信号、タイミング信号のやり取りを行う。装置間Ｉ／Ｆ部５１６は、装置間通信ネットワーク１２０を介して他の装置とシート情報、タイミング情報のやりとりを行う。
【００１５】
ＣＰＵ５１１は制御プログラムの内容に従って、コントローラ部３０００と内部Ｉ／Ｆ部５１５を介して画像信号を受信しデバイス制御部５１４を制御して画像形成動作を実行する。それと共に装置間Ｉ／Ｆ部５１６を介して他装置とシート情報、タイミング情報のやりとりをし、シートの搬送動作を実行する。
【００１６】
（スタッカの制御部）
図３はスタッカ制御部３２００の制御部を示す制御ブロック図である。図３に示すように、ＣＰＵ７１１はシート搬送及びシート処理の制御を行う。ＣＰＵ７１１には制御プログラムが書き込まれたＲＯＭ７１３及び制御データを格納するためのＲＡＭ７１２がアドレスバス及びデータバスを介して接続されている。ＲＯＭ７１３には、後述する制御手順等が記憶されているものとする。デバイス制御部７１４は、シート積載装置の各構成部品を制御するための入出力ポート等を含む電気回路であり、後述する整合板３０２を制御する整合板制御部７１７、ストッパ３０３を制御するストッパ制御部７１８を備えている。装置間Ｉ／Ｆ部７１６は、装置間通信ネットワーク１２０を介して他の装置とシート情報、タイミング情報のやりとりを行う。
【００１７】
ＣＰＵ７１１は制御プログラムの内容に従って、装置間Ｉ／Ｆ部７１６を介して他装置とシート情報、タイミング情報のやりとりをし、シートの搬送動作及びシート処理を実行する。
【００１８】
図４は画像形成システムの主要部構成を示す縦断面図である。図４に例示した画像形成システムは、画像形成装置１０１とスタッカ１０２から構成されている。
【００１９】
（画像形成装置）
画像形成装置本体１０１は原稿の画像を読み取る画像読取部であるイメージリーダ２０および画像形成部であるプリンタ３０を備えている。
【００２０】
イメージリーダ２０には、自動原稿給送装置５が搭載されている。自動原稿給送装置５は、原稿トレイ上に上向きにセットされた原稿を先頭頁から順に１枚ずつ左方向へ給送し、湾曲したパスを介してプラテンガラス６上を左から流し読み取り位置を経て右へ搬送し、その後外部の排出トレイ７に向けて排出する。
【００２１】
この搬送される原稿がプラテンガラス６上の流し読み取り位置を左から右へ向けて通過するときに、この原稿画像は流し読み取り位置に対応する位置に保持されたスキャナユニット２１により読み取られる。この読み取り方法は、一般的に、原稿流し読みと呼ばれる方法である。具体的には、原稿が流し読み取り位置を通過する際に、原稿の読み取り面がスキャナユニット２１の図示しないランプの光で照射され、その原稿からの反射光がミラー２２ａ、２２ｂ、２２ｃを介してレンズ２３に導かれる。このレンズ２３を通過した光は、イメージセンサ２４の撮像面に結像する。
【００２２】
このように流し読み取り位置を左から右へ通過するように原稿を搬送することによって、原稿の搬送方向に対して直交する方向を主走査方向とし、搬送方向を副走査方向とする原稿の画像読み取り走査が行われる。すなわち、原稿が流し読み取り位置を通過する際に主走査方向に原稿画像を１ライン毎にイメージセンサ２４で読み取りながら、原稿を副走査方向に搬送することによって原稿画像全体の読み取りが行われる。光学的に読み取られた原稿の画像はイメージセンサ２４によって画像データに変換されて出力される。イメージセンサ２４から出力された画像データは、画像信号制御部において所定の処理が施された後にプリンタ３０の露光制御部３１にビデオ信号として入力される。
【００２３】
なお、原稿給送装置５により原稿をプラテンガラス６上に搬送して所定位置に停止させ、この状態でスキャナユニット２１を左から右へ走査させることにより原稿の画像を読み取ることも可能である。この読み取り方法は、いわゆる原稿固定読みと呼ばれる方法である。
【００２４】
原稿給送装置５を使用しないで原稿の画像を読み取るときには、まず、ユーザにより原稿給送装置５を持ち上げてプラテンガラス６上に原稿を載置して、スキャナユニット２１を左から右へ走査させることにより原稿画像の読み取りを行う。すなわち、原稿給送装置５を使用しないで原稿の画像を読み取るときにも、原稿固定読みが行われる。
【００２５】
プリンタ３０の露光制御部３１は、入力されたビデオ信号に基づきレーザ光を変調して出力し、該レーザ光はポリゴンミラーにより走査されながら感光ドラム３２上に照射される。感光ドラム３２には走査されたレーザ光に応じた静電潜像が形成される。ここで、露光制御部３１は、原稿固定読み時には、鏡像でない画像が形成されるようにレーザ光を出力する。
【００２６】
プリンタ３０には、画像を形成するためのシートを収納する複数の給送カセット３３が装置手前方向に引き出し可能に設けられている。なお、ここでは複数の給送カセットとして２つの給送カセットを例示しているが、このカセットの数はこれに限定されるものではない。そして、各給送カセット３３に対応して設けられている分離給送部３３ａにより各給送カセット３３からプリンタ３０にシートを一枚ずつ供給することができる。また、一面に画像を形成したシートの裏面に画像を形成する両面複写をする場合に、一面に画像が形成されたシートを反転する反転パス３４と反転されたシートを再度プリンタ３０に供給するための両面搬送パス３５とが設けられている。
【００２７】
この感光ドラム３２上の静電潜像は、不図示の現像器から供給される現像剤によって現像剤像として可視像化される。また、レーザ光の照射開始と同期したタイミングで、各給送カセット３３、または両面搬送パス３５からシートが給送され、このシートは感光ドラム３２と転写部３６との間に搬送される。感光ドラム３２に形成された現像剤像は転写部３６によりシート上に転写される。
【００２８】
現像剤像が転写されたシートは定着部３７に搬送され、定着部３７はシートを加熱加圧することによって現像剤像をシート上に定着させる。定着部３７を通過したシートは、排出ローラ３８を経てプリンタ３０からスタッカ１０２に向けて排出される。
【００２９】
ここで、シートをその画像形成面が下向きになる状態（フェイスダウン）で排出するときには、定着部３７を通過したシートを、反転パス３４との分岐部に設けられている図示しないフラッパの切換動作により一旦反転パス３４内に導く。そして、そのシートの後端がフラッパを通過した後に、シートをスイッチバックさせて排出ローラ３８によりプリンタ３０から排出する。以下、この排出形態を反転排出と呼ぶ。この反転排出は、原稿給送装置５を使用して読み取った画像を形成するとき、またはコンピュータから出力された画像を形成するときなどのように先頭頁から順に画像形成するときに行われ、その排出後のシート順序は正しい頁順になる。
【００３０】
また、手差給送部３９からＯＨＰシートなどの硬いシートが供給され、このシートに画像を形成するときには、シートを反転パス３４に導くことなく、画像形成面を上向きにした状態（フェイスアップ）で排出ローラ３８により排出する。これにより硬いシートなどのジャムし易いシートの画像形成を行う。
【００３１】
さらに、シートの両面に画像形成を行う両面記録が設定されている場合には、以下のように制御が行われる。まず、反転パス３４の分岐部に設けられている図示しないフラッパの切換動作によりシートを反転パス３４に導いた後に両面搬送パス３５へ搬送する。そして、両面搬送パス３５へ導かれたシートを所定のタイミングで感光ドラム３２と転写部３６との間に再度給送する。
【００３２】
（スタッカ）
図４に示すように、シート積載装置であるスタッカ１０２は、画像形成装置１０１からのシートＳを順に取り込み、シート積載手段としてのスタックトレイ３０１に積載する処理を行う。また、スタックトレイ３０１は上下に動作することが可能である。整合板３０２はスタックトレイ３０１上におけるシートＳの搬送方向に対して直交する幅方向の端部位置を規制するためのシート幅規制手段である。ストッパ３０３はシートＳの搬送方向の先端位置を規制するためのシート先端規制手段である。また、搬送方向揃え部材３０５は図４に示す矢印の方向に回転することによって、スタックトレイ３０１上のシートＳをストッパ３０３方向に揃える働きをする。なお、整合板３０２は前述した整合板制御部７１７によってその動作が制御される。また、ストッパ３０３も前述した制御手段としてのストッパ制御部７１８によってその動作が制御される。
【００３３】
２０１は画像形成装置１０１から排出されたシートＳを受け取るシート入り口部である。２０２は各々のスタッカ１０２内でシートＳを搬送する為の搬送パスである。２０３は画像形成装置１０１から排出されたシートＳをスタッカ１０２内のスタックトレイ３０１上に積載する場合に用いるシートスタック用搬送パスである。Ｒはシート搬送手段としての搬送ローラであり、各々の搬送パス２０２，２０３においてシートＳを搬送する。２０６はスタッカシート上面検知センサであり、スタックトレイ３０１上にシートＳを順次積載する際に、昇降可能なスタックトレイ３０１をシート受け取り位置に保つ為に用いられる。２０７はスタックトレイ下限検知センサであり、スタックトレイ３０１をシート取り出し位置に下降させる時に、スタックトレイ下限検知センサ２０７を検知するまで下降する様に用いる。シート検知センサ２０８はスタックトレイ３０１上のシートの有無を検出するセンサであり、スタックトレイ上のシートがユーザによって取り出されたか判断する際に使用する。
【００３４】
（操作表示部）
図５は画像形成装置１０１の操作表示部６００を示す図である。
【００３５】
操作表示部６００には、画像形成動作を開始するためのスタートキー６０２、画像形成動作を中断するためのストップキー６０３、置数設定等を行うテンキー６０４〜６１２および６１４、ＩＤキー６１３、クリアキー６１５、リセットキー６１６などが配置されている。また、上部にタッチパネルが形成された液晶表示部６２０が配置されており、画面上にソフトキーを作成可能となっている。
【００３６】
（インデックス紙挿入モード設定）
以下、図６のフローチャートと図７〜図１０を用いてインデックス紙挿入モード設定の流れを説明する。なお、インデックス紙挿入モードとは、第１のシートとしての方形紙と、この方形紙より搬送方向の長さがインデックス部（以下、タブという）の分だけ長い第２のシートとしてのインデックス紙とを積載するモードのことである。ここでは、方形紙として、Ａ４、Ｂ５、Ａ３の各サイズのシートを例示している。また、インデックス紙として、Ａ４サイズのシートの一部（ここでは搬送方向後端側）にタブを有するシートを例示している。第１のシート、第２のシート、方形紙、インデックス紙は前述の例に限定されるものではない。
【００３７】
インデックス紙挿入モードは表示部６２０から設定する。図７に示す初期画面で、ソフトキーである「応用モード」キーを選択する（Ｓ１００１）と、図８に示されるような応用モードの選択画面へ遷移する。この応用モードのメニューの中から、「インデックス紙」のソフトキーを選択する（Ｓ１００２）と、図９に示すインデックス紙を給紙する給紙段の選択画面に移る。ここで、インデックス紙を給紙する給紙段を選択（Ｓ１００３）し、「次へ」を押すと図１０で示す方形紙の選択画面に遷移する。そして、方形紙を給紙する給紙段の選択（Ｓ１００４）し、「次へ」を押すと図１１で示すインデックス紙を挿入するページを選択する画面に遷移する。ここで、ページ数を入力（Ｓ１００５）することでインデックス紙挿入モードの設定を終了する。例えば、インデックス紙を挿入するページを選択する画面において「１」を入力すると１枚目にインデックス紙が挿入され、「２」を入力すると２枚目にインデックス紙が挿入される。
【００３８】
（スタッカのストッパ制御）
ここで、上記インデックス紙挿入モードにおけるシートの搬送方向の先端位置を規制するストッパ３０３の制御方法を説明する。
【００３９】
スタッカ１０２のスタックトレイ３０１上に方形紙Ｓｈのみを積載する場合は、基準壁３０４とストッパ３０３の間隔が方形紙Ｓｈの搬送方向の長さに対応した間隔になるように、ストッパ制御部７１８によってストッパ３０３の位置を制御する。これにより、図１２に示すように方形紙Ｓｈが積載される。同様に、スタックトレイ３０１上にインデックス紙Ｓｉのみを積載する場合は、基準壁３０４とストッパ３０３の間隔がインデックス紙Ｓｉの搬送方向の長さに対応した間隔になるように、ストッパ制御部７１８によってストッパ３０３の位置を制御する。これにより、インデックス紙ＳｉのタブＳｉ１が搬送方向に対し後端側にある状態でスタッカ１０２に排出する画像形成装置１０１の場合、図１３に示すようにタブＳｉ１が搬送方向後端側（図の右側）の状態でインデックス紙Ｓｉが積載される。
【００４０】
インデックス紙挿入モードにおいて、インデックス紙を挿入するページに「２」を設定する（図１１）と、画像形成装置１０１は１枚目に方形紙Ｓｈをスタッカ１０２に排出する。このとき、スタッカ１０２は画像形成装置１０１から排出される方形紙がインデックス紙挿入モードで設定された方形紙である。この場合、基準壁３０４とストッパ３０３の間隔が、方形紙Ｓｈの長さにインデックス紙ＳｉのタブＳｉ１の長さを加算した長さに対応した位置になるように、ストッパ制御部７１８によってストッパ３０３を移動させる制御を行う。すなわち、方形紙Ｓｈの搬送方向の先端位置を規制する際に、前記ストッパ３０３をインデックス紙Ｓｉの搬送方向の先端位置を規制する位置と同じ位置に移動させる制御を行う。この状態で方形紙が搬送されると、図１４に示すように方形紙Ｓｈはその搬送方向先端がストッパ３０３に規制され、後端側が前記インデックス紙のタブの分だけあけられた状態で積載される。
【００４１】
次に、画像形成装置１０１は２枚目にインデックス紙Ｓｉをスタッカ１０２に排出する。この場合、基準壁３０４とストッパ３０３の間隔がインデックス紙Ｓｉの長さに対応した間隔になるように、ストッパ制御部７１８によってストッパ３０３の位置を移動させる制御を行う。この状態でインデックス紙が搬送されると、図１５に示すようにインデックス紙Ｓｉは、前記方形紙Ｓｈ上に搬送方向の先端が揃えられた状態で積載される。
【００４２】
この後、更に方形紙Ｓｈを積載する場合は、１枚目の方形紙と同様の位置にストッパ３０３を移動させる制御を行うことで、図１６に示すように方形紙Ｓｈとインデックス紙Ｓｉの搬送方向先端が揃えられた状態で積載される。また、更にインデックス紙Ｓｉを積載する場合は、２枚目のインデックス紙Ｓｉと同様の位置にストッパ３０３を移動させる制御を行うことで、図１７に示すように方形紙Ｓｈとインデックス紙Ｓｉの搬送方向先端が揃えられた状態で積載される。
【００４３】
このように、インデックス紙挿入モードで設定された方形紙Ｓｈを積載する場合には、方形紙Ｓｈの搬送方向の長さにインデックス紙ＳｉのタブＳｉ１の長さを加算した長さに対応した位置に、ストッパ３０３を移動させる制御を行う。すなわち、方形紙Ｓｈの搬送方向の先端位置を規制する際に、前記ストッパ３０３をインデックス紙Ｓｉの搬送方向の先端位置を規制する位置と同じ位置に移動させる制御を行う。これにより、方形紙Ｓｈの先端とインデックス紙Ｓｉの先端を同じ位置に規制して積載することが可能になり、インデックス紙ＳｉのタブＳｉ１の視認性を向上させ、ユーザの使い勝手をよくすることができる。
【００４４】
なお、前述した実施形態では、画像形成システムとして、画像形成装置とシート積載装置との組み合わせを例示したが、これに限定されるものではない。例えば、シートの仕分けや綴じなどの処理が選択的に行えるフィニッシャなどのシート処理装置を更に組み合わせた画像形成システムであっても良い。また、画像形成装置として複写機を例示したが、本発明はこれに限定されるものではなく、例えばプリンタ、ファクシミリ装置等の他の画像形成装置や、或いはこれらの機能を組み合わせた複合機等の他の画像形成装置であっても良い。このような画像形成システムにおけるシート積載装置に本発明を適用することにより同様の効果を得ることができる。
【００４５】
また前述した実施形態では、画像形成装置に対して着脱自在なシート積載装置を例示したが、本発明はこれに限定されるものではない。例えば画像形成装置が一体的に有するシート積載装置や、前述したシート処理装置が一体的に有するシート積載装置であっても良い。これらのシート積載装置に本発明を適用することにより同様の効果を得ることができる。
【００４６】
また前述した実施形態では、記録方式として電子写真方式を例示したが、これに限定されるものではなく、例えばインクジェット方式等の他の記録方式であっても良い。
【図面の簡単な説明】
【００４７】
【図１】画像形成システムのシステム構成図である。
【図２】画像形成装置の制御部の内部構成を示す制御ブロック図である。
【図３】スタッカの制御部の内部構成を示す制御ブロック図である。
【図４】画像形成システムの主要部構成を示す縦断面図である。
【図５】画像形成装置における操作表示部を示す平面図である。
【図６】インデックス紙挿入モードを示すフローチャートである。
【図７】インデックス紙挿入モード時の操作表示部の状態を示す概略図である。
【図８】インデックス紙挿入モード時の操作表示部の状態を示す概略図である。
【図９】インデックス紙挿入モード時の操作表示部の状態を示す概略図である。
【図１０】インデックス紙挿入モード時の操作表示部の状態を示す概略図である。
【図１１】インデックス紙挿入モード時の操作表示部の状態を示す概略図である。
【図１２】方形紙のみを積載するスタッカの要部概略図である。
【図１３】インデックス紙のみを積載するスタッカの要部概略図である。
【図１４】インデックス紙挿入モードにおけるスタッカのストッパ制御を示す要部概略図である。
【図１５】インデックス紙挿入モードにおけるスタッカのストッパ制御を示す要部概略図である。
【図１６】インデックス紙挿入モードにおけるスタッカのストッパ制御を示す要部概略図である。
【図１７】インデックス紙挿入モードにおけるスタッカのストッパ制御を示す要部概略図である。
【符号の説明】
【００４８】
Ｒ    …搬送ローラ（シート搬送手段）
Ｓ    …シート
Ｓｈ  …方形紙（第１のシート）
Ｓｉ  …インデックス紙（第２のシート）
Ｓｉ１ …タブ（インデックス部）
１０１ …画像形成装置
１０２ …スタッカ（シート積載装置）
２０２，２０３ …搬送パス
３０１ …スタックトレイ（シート積載手段）
３０２ …整合板
３０３ …ストッパ（シート先端規制手段）
３０４ …基準壁
３０５ …搬送方向揃え部材
３２００ …スタッカ制御部
７１７ …整合板制御部
７１８ …ストッパ制御部（制御手段）
【図１】
2008105826.tif 000003
【図２】
2008105826.tif 000004
【図３】
2008105826.tif 000005
【図４】
2008105826.tif 000006
【図５】
2008105826.tif 000007
【図６】
2008105826.tif 000008
【図７】
2008105826.tif 000009
【図８】
2008105826.tif 000010
【図９】
2008105826.tif 000011
【図１０】
2008105826.tif 000012
【図１１】
2008105826.tif 000013
【図１２】
2008105826.tif 000014
【図１３】
2008105826.tif 000015
【図１４】
2008105826.tif 000016
【図１５】
2008105826.tif 000017
【図１６】
2008105826.tif 000018
【図１７】
2008105826.tif 000019